(57)【要約】【課題】旧来より用いられている衣桁に移動手段を付加し、自在な移動と両枠を１８０度回動した直線状での使用も可能とする。【解決手段】主袖枠と補助袖枠を蝶番結合し、主袖枠両側の縦材下部には２連のキャスターをそれぞれ配置し、補助袖枠の蝶番回動時に円弧動する側の縦材下部には補助キャスターを設けて、両袖枠の重合する状態から、最大回動して直線状となる状態まで安定した使用状態を得る。【選択図】図１
0003129132.tif 000002
【実用新案登録請求の範囲】
【請求項１】
縦材及び横材で略方形に構成する主袖枠と、同じく縦材及び横材で略方形に構成するのであるが、互いの下部の横材を同位置として並列させた時、上部の横材位置は所定長低く構成した補助袖枠の隣接対応する縦材間を蝶番結合し、主袖枠の両縦材下端部には枠面に直交方向に基台を設けてその両端部下面に回動自在なキャスターを固定し、補助袖枠の蝶番接合側と反対側の縦材下端部には補助キャスターを取付け、蝶番の開閉により両枠の開度を無段階に設定可能とすることを特徴とする移動式ハンガーラック。
【考案の詳細な説明】
【技術分野】
【０００１】  本考案は、衣桁型のハンガーラックに係るものであり、基部にキャスターを備えて、自在に移動可能とするとともに、両袖部を閉じた開放角０度状態から、９０度を経て１８０度まで自在に折れ角を選択可能な構造を有する衣桁型移動式ハンガーラックである。
【背景技術】
【０００２】衣類等を掛けて収容するハンガーラックは、基台に立設したポールの上部に所定角度で掛止部材を放射状に突出したものや、基台に立設した枠の上部に掛止部材を渡したものなどが多く見られた。また、旧来より着物の掛止具として部屋の隅に配置されて用いられてきた衣桁があるが構造上、現代の生活の中で実用的に使用するには、課題が見られるものであった。
【考案の開示】
【考案が解決しようとする課題】
【０００３】部屋の使用目的、状況によっても異なるが、現代の生活においては、空間を有効利用するために、諸道具は適宜移動できることが望ましく、電気製品だけでなく様々な道具にキャスターを取り付けるなどして、移動を可能としている。衣類を掛けるハンガーラックにしても、応接間などに形式的に置くものは頻繁に移動させる必要なく配置するものであるが、個人の部屋で実用的に常時使用するにおいては、移動手段とともに、季節によって変化する衣類の量によって掛止範囲が変更できるような機能、また、部屋の状況によって形状の変更ができる機能などが望まれていた。
【考案の効果】
【０００４】ハンガーラックを移動可能、また、その掛止範囲を変更可能とすることにより、部屋の空間を機能的、かつ有効に利用できるものである。また、ハンガーラックを、日本家屋で旧来より用いられてきた衣桁型を基本として構成し、衣桁では通常は部屋の隅に直角を形成して安定を得ていた２面の袖のうち、本願では１面両側下端部に枠と直交し端部にキャスターを固定した基台を固定して主袖とし、蝶番連結される他の補助的な袖は、回動時の円周となる外側枠の下端部に簡易なキャスターを固定して補助的な掛止面として利用するため、移動時には主袖のキャスター及び補助的な袖部のキャスターの３点で安定した移動を行い、使用時においては主袖で安定を得、補助的な袖がそれを補助して、両袖の形成する角度を自由に得られ、また、収納時には主袖が全体を支えて、両袖が重合して最小の占有面積を形成するものである。
よって一般的な使用方法である部屋の隅で直角に配置しての使用はもちろん、壁面に沿って両袖を直線状に伸ばしての使用、また、両袖を折り畳んで重合する最小形状の使用形態は、クローゼットの中での使用等に適するものである。キャスターを配した構造は、掛止した衣服の柄、色の確認するため等に明るい場所へ移動するに際して有効なものである。
【考案を実施するための最良の形態】
【０００５】本考案の最良の実施形態について、図面に基づいて詳細に説明する。図１は本考案の最良の実施形態を示す図、図２から図４は使用状態を示す図、図５は他の実施例を示す図である。【０００６】本考案に係る移動式ハンガーラックは、図１に示すよう、方形枠状で下部へ向け所定長縦材１１、１２が突出する構成の主袖枠１と、近似形状で、下部への縦材２２の突出は一方のみで、わずかに方形面積の小さい補助袖枠２を並列し、隣接対応する縦材間１２、２１の上下２か所を蝶番結合３し、主袖枠１の縦材１１、１２下端部及び補助袖枠２の蝶番接合３を行わない縦材２２下端部にそれぞれキャスター１６、２５を設けたものである。【０００７】主袖枠１は、両縦材１１、１２の基端部に枠面に直交方向に所定長の基台１５を設け、該基台１５両端部下面に回動自在にキャスター１６を固定する。また、縦材のうち蝶番３と反対側のもの１１については、外側へ向けて所定長の掛止突起１７を複数個取付ける。また、横材１３の両端は縦材との結合位置よりも両外側へ突出させて掛止突起１８を設けることもできる。この掛止突起にはネクタイ、ベルト、防止などの小物の掛止が可能である。【０００８】補助袖枠２は同じく縦横の部材で近似形状に構成するが、主袖枠１との接合時において、下部の横材２４は主袖枠１の横材１４と同位置とし、上部の横材２３は主袖枠１の横材１３より幾分低く構成する。補助袖枠２の縦材２１、２２のうち、主袖枠１に蝶番３接合する縦材２１は、上部は主袖枠１より低く構成するため短いが、他側縦材２２は下部を長く構成し、下端部に補助キャスター２５を取付けて、主袖枠１を支える４つのキャスター１６とともに、５点支持で全体の安定を得るとともに、主袖枠１、補助袖枠２が蝶番３で回動して所定の開度を設定する際のガイドとなるものである。【０００９】以上のような構成でなる本考案であるが、以下その使用形態について説明する。第１図は本考案の使用例のうち、両袖枠の開度を９０度として用いる例を示すもので、部屋の隅に配置する際にはこの形態となることが多く、最も安定した状態での使用となる。【００１０】第２図は、両袖枠の開度が０度の使用状況を示すものであり、狭い場所での使用とか、掛止する衣類が多くないような場合には適した使用方法である。この両袖枠の重合状態での使用に当たっては、それぞれの上部の横材１３、２３に高低差を設けた構成が有効である。つまり、衣類を掛けたハンガーを掛止する際、そのフックの開口はほぼ横材１本分の幅であるため、横材が２本重合した位置にあると掛止がしづらいものである。横材に高低差があれば、この掛止が容易となり、衣類の長短、使用者の身長などにより、上下希望の横材への掛止が選択できる。【００１１】第３図は、両袖枠の開度が１８０度の使用状況であり、部屋の壁際に配置する場合とか、商店内での展示などの使用方法である。掛止範囲が最大となり、大量の衣類が掛止できる。【００１２】以上３通りの使用例を示したが、両袖の接合は蝶番であり、状況に応じて無段階的に希望する角度での使用が可能である。また、主袖枠には４個のキャスター、補助袖枠には１個のキャスターを設けることにより、掛止物が多い時にも、安定して支持することができ、補助袖枠の回動は支持点が１箇所のため軽い力で行えるものである。また図５に示すよう、主袖枠１、補助袖枠２それぞれの縦材１１、１２、２１、２２を上方へ延長し、その間に飾り材２６、２７を設けることは、より装飾性のある調度品として構成するにおいて有効な手段である。
【図面の簡単な説明】
【００１３】
【図１】本考案の実施例を示したものである。
【図２】実施例の第１使用例を示したものである。
【図３】実施例の第２使用例を示したものである。（回動角１８０度の実施例）
【図４】実施例の第３使用例を示したものである。（回動角０度の実施例）
【図５】飾り材を設けた実施例を表した図。
【符号の説明】
【００１４】１    主袖枠
２    補助袖枠
３    蝶番
１１  縦材
１２  縦材
１３  横材
１４  横材
１５  基台
１６  キャスター
１７  掛止突起
１８  掛止突起
２１  縦材
２２  縦材
２３  横材
２４  横材
２５  キャスター
２６  飾り材
２７  飾り材
【図１】
0003129132.tif 000003
【図２】
0003129132.tif 000004
【図３】
0003129132.tif 000005
【図４】
0003129132.tif 000006
【図５】
0003129132.tif 000007